(57)【要約】【課題】加熱ローラの部分的な温度低下を回避することができ、常に適正な定着作用が得られる信頼性にすぐれた定着装置を提供する。【解決手段】コイル４ａの誘導加熱量とコイル４ｂ，４ｃの誘導加熱量とを相対的に増減させ、かつコイル４ａの誘導加熱量が増えてコイル４ｂ，４ｃの誘導加熱量が減るときの誘導加熱比を例えば“９対１”に設定し、コイル４ｂ，４ｃの誘導加熱量が増えてコイル４ａの誘導加熱量が減るときの誘導加熱比を例えば“７対３”に設定する。【選択図】    図３
2004294486.tif 000002
【特許請求の範囲】
【請求項１】
加熱ローラと、
前記加熱ローラの軸方向に沿って設けられた誘導加熱用の第１および第２コイルと、
前記各コイルの誘導加熱量が相対的に増減するように、かつ前記第１コイルの誘導加熱量が増えて前記第２コイルの誘導加熱量が減るときの誘導加熱比と前記第２コイルの誘導加熱量が増えて前記第１コイルの誘導加熱量が減るときの誘導加熱比とが互いに異なるように、前記各コイルを駆動する制御手段と、
を備えたことを特徴とする定着装置。
【請求項２】
請求項１に記載の定着装置において、
前記第１コイルは、前記加熱ローラの軸方向に沿う略中央部と対応する位置に設けられている、
前記第２コイルは、前記加熱ローラの軸方向に沿う一端部および他端部と対応する位置に設けられている、
【請求項３】
加熱ローラと、
前記加熱ローラの軸方向に沿う略中央部と対応する位置に設けられた誘導加熱用の第１コイルと、
前記加熱ローラの軸方向に沿う一端部および他端部と対応する位置に設けられた誘導加熱用の第２コイルと、
前記各コイルの誘導加熱量が相対的に増減するように、かつ前記第１コイルの誘導加熱量が増えて前記第２コイルの誘導加熱量が減るときの誘導加熱比が、前記第２コイルの誘導加熱量が増えて前記第１コイルの誘導加熱量が減るときの誘導加熱比より大きくなるように、前記各コイルを駆動する制御手段と、
を備えたことを特徴とする定着装置。
【請求項４】
加熱ローラと、
前記加熱ローラの軸方向に沿って設けられた誘導加熱用の第１および第２コイルと、
前記第１コイルを構成要素とする第１共振回路と、
前記第２コイルを構成要素とする第２共振回路と、
前記各コイルの誘導加熱量が相対的に増減するように、かつ前記第１コイルの誘導加熱量が増えて前記第２コイルの誘導加熱量が減るときの誘導加熱比と前記第２コイルの誘導加熱量が増えて前記第１コイルの誘導加熱量が減るときの誘導加熱比とが互いに異なるように、前記各共振回路を駆動する制御手段と、
を備えたことを特徴とする定着装置。
【請求項５】
請求項４に記載の定着装置において、
前記第１コイルは、前記加熱ローラの軸方向に沿う略中央部と対応する位置に設けられている、
前記第２コイルは、前記加熱ローラの軸方向に沿う一端部および他端部と対応する位置に設けられている、
【請求項６】
加熱ローラと、
前記加熱ローラの軸方向に沿う略中央部と対応する位置に設けられた誘導加熱用の第１コイルと、
前記加熱ローラの軸方向に沿う一端部および他端部と対応する位置に設けられた誘導加熱用の第２コイルと、
前記第１コイルを構成要素とする第１共振回路と、
前記第２コイルを構成要素とする第２共振回路と、
前記各コイルの誘導加熱量が相対的に増減するように、かつ前記第１コイルの誘導加熱量が増えて前記第２コイルの誘導加熱量が減るときの誘導加熱比が、前記第２コイルの誘導加熱量が増えて前記第１コイルの誘導加熱量が減るときの誘導加熱比より大きくなるように、前記各共振回路を駆動する制御手段と、
を備えたことを特徴とする定着装置。
【請求項７】
請求項４，５，６のいずれかに記載の定着装置において、
前記各共振回路は、互いに異なる共振周波数ｆ１，ｆ２で且つ互いに同じ半値幅の周波数−出力特性を有している、
前記制御手段は、前記各共振回路に対する周波数（ｆ１−Δｆａ）の駆動と周波数（ｆ２−Δｆｂ）の駆動とを交互に繰り返す、
ことを特徴とする定着装置。
【請求項８】
請求項４，５，６のいずれかに記載の定着装置において、
前記各共振回路は、互いに異なる共振周波数ｆ１，ｆ２で且つ互いに異なる半値幅の周波数−出力特性を有している、
前記制御手段は、前記各共振回路に対する周波数ｆ１の駆動と周波数ｆ２の駆動とを交互に繰り返す、
ことを特徴とする定着装置。
【請求項９】
請求項１ないし請求項８のいずれかに記載の定着装置において、
前記加熱ローラに圧接状態で接しながらその加熱ローラと共に回転する加圧ローラ、をさらに備えたことを特徴とする定着装置。
【発明の詳細な説明】
【０００１】
【発明の属する技術分野】
この発明は、複写機やプリンタなどの画像形成装置に搭載され、用紙上の現像剤像を定着させる定着装置に関する。
【０００２】
【従来の技術】
デジタル技術を利用した画像形成装置たとえば電子複写機では、原稿が載置された原稿台が露光され、その原稿台からの反射光が光電変換素子たとえばＣＣＤ（ｃｈａｒｇｅ  ｃｏｕｐｌｅｄ  ｄｅｖｉｃｅ）に導かれる。
【０００３】
ＣＣＤは、原稿の画像に対応する画像信号を出力する。この画像信号に応じたレーザ光が感光体ドラムに照射されて、感光体ドラムの周面に静電潜像が形成される。この静電潜像は、現像剤（トナー）の付着により顕像化される。感光体ドラムには、その感光体ドラムの回転にタイミングを合わせて用紙が送られており、その用紙に感光体ドラム上の顕像（現像剤像）が転写される。現像剤像が転写された用紙は、定着装置に送られる。
【０００４】
定着装置は、加熱ローラと、この加熱ローラに加圧状態で接しながらその加熱ローラと共に回転する加圧ローラとを備え、この両ローラ間に用紙を挟み込んでその用紙を搬送しながら、加熱ローラの熱によって用紙上の現像剤像を定着させる。
【０００５】
加熱ローラの熱源として、誘導加熱がある。この誘導加熱では、コイルに高周波電流を流してコイルから高周波磁界を発生させ、その高周波磁界によって加熱ローラに渦電流を生じさせ、その渦電流によるジュール熱で加熱ローラを自己発熱させる。
【０００６】
このような誘導加熱を利用した定着装置では、加熱ローラの軸方向に沿う略中央部と対応する位置に第１コイルを設け、加熱ローラの軸方向に沿う一端部および他端部と対応する位置に第２コイルを設け、これらコイルを選択的に駆動するものがある。
【０００７】
たとえば、ショートサイズ（Ａ４Ｒサイズ）のコピー用紙は、コピー用紙が加熱ローラの軸方向に沿う略中央部を通る。この場合には、加熱ローラの略中央部のみを加熱できればよいので（両端部を加熱したくないため）、第１コイルのみが駆動される。
【０００８】
普通サイズ（Ａ４サイズ）のコピー用紙は、加熱ローラの軸方向に沿う全域を通る。この場合には、加熱ローラの全域を加熱したいので、第１コイルおよび第２コイルが共に駆動される。実際には、消費電力が定格内に収まるよう、第１コイルおよび第２コイルが交互に駆動される。
【０００９】
【発明が解決しようとする課題】
上記のように第１コイルおよび第２コイルを交互に駆動する場合、加熱ローラの全域の熱を均一に維持する必要がある。
【００１０】
しかしながら、コピー用紙への熱の移動量が大きい場合、あるいは定着装置のウォーミングアップタイム短縮を目的に熱容量が小さい例えば薄肉構造の加熱ローラが採用されている場合には、第１コイルの駆動が停止したときに加熱ローラの略中央部の温度が低下し、第２コイルの駆動が停止したときに加熱ローラの両端部の温度が低下してしまう。
【００１１】
このような温度低下は、定着作用に悪影響を与える。
【００１２】
この発明は上記の事情を考慮したもので、加熱ローラの部分的な温度低下を回避することができ、常に適正な定着作用が得られる信頼性にすぐれた定着装置を提供することを目的とする。
【００１３】
【課題を解決するための手段】
請求項１に係る発明の定着装置は、加熱ローラの軸方向に沿って、誘導加熱用の第１および第２コイルを備えている。各コイルの誘導加熱量が相対的に増減するように、かつ第１コイルの誘導加熱量が増えて第２コイルの誘導加熱量が減るときの誘導加熱比と第２コイルの誘導加熱量が増えて第１コイルの誘導加熱量が減るときの誘導加熱比とが互いに異なるように、各コイルを駆動する。
【００１４】
【発明の実施の形態】
［１］以下、この発明の第１の実施形態について図面を参照して説明する。  画像形成装置たとえば複合型電子複写機では、原稿台に載置された原稿が露光され、その原稿からの反射光が光電変換素子たとえばＣＣＤに導かれる。このＣＣＤから得られる画像信号に応じたレーザ光が感光体ドラムに照射されて、感光体ドラムの周面に静電潜像が形成される。この静電潜像が現像剤（トナー）によって顕像化され、その感光体ドラム上の顕像（現像剤像）が用紙に転写される。現像剤像が転写された用紙は、図１に示す定着装置１に送られる。
【００１５】
この原稿読取りから転写までの構成については一般に周知であるから、その詳細な説明については省略する。
【００１６】
定着装置１は、加熱ローラ２と、この加熱ローラ２に加圧状態で接しながらその加熱ローラ２と共に回転する加圧ローラ３とを備え、この両ローラ間にコピー用紙Ｓを挟み込んでそのコピー用紙Ｓを搬送しながら、加熱ローラ２の熱によってコピー用紙Ｓ上の現像剤像Ｔを定着させる。
【００１７】
加熱ローラ２は、導電性材料たとえば鉄を筒状に成形し、その鉄の外周面にテフロン等を被覆したもので、図示右方向に回転駆動される。加圧ローラ３は、加熱ローラ２の回転を受けて図示左方向に回転する。この加熱ローラ２と加圧ローラ３との接触部をコピー用紙Ｓが通過し、かつコピー用紙Ｓが加熱ローラ２から熱を受けることにより、コピー用紙Ｓ上の現像剤像Ｔがコピー用紙Ｓに定着される。
【００１８】
加熱ローラ２の内部空間に、誘導加熱用のコイル４ａ，４ｂ，４ｃが収容されている。コイル４ａ，４ｂ，４ｃは、コア５に巻回および保持され、誘導加熱用の高周波磁界を発する。この高周波磁界が発せられることにより、加熱ローラ２に渦電流が生じ、その渦電流によるジュール熱で加熱ローラ２が自己発熱する。
【００１９】
加熱ローラ２の周囲に、コピー用紙Ｓを加熱ローラ２から剥離するための剥離爪６、加熱ローラ２上に残るトナーおよび紙屑等を除去するためのクリーニング部材７、加熱ローラ２の表面に離型剤を塗布するための塗布ローラ８が配設されている。
【００２０】
本体１の制御回路を図２に示している。
メインコントローラ３０に、コントロールパネルコントローラ３１、スキャンコントローラ３２、およびプリントコントローラ４０が接続されている。メインコントローラ３０は、コントロールパネルコントローラ３１、スキャンコントローラ３２、およびプリントコントローラ４０を統括的に制御する。
【００２１】
スキャンコントローラ３２に、原稿読取用のスキャンユニット３３が接続されている。プリントコントローラ４０に、制御プログラム記憶用のＲＯＭ４１、データ記憶用のＲＡＭ４２、プリントエンジン４３、用紙搬送ユニット４４、プロセスユニット４５、上記定着装置１が接続されている。プリントエンジン４３は、上記レーザ光の駆動系などにより構成されている。用紙搬送ユニット４４は、コピー用紙Ｓの搬送機構およびその駆動回路などにより構成されている。プロセスユニット４５は、感光体ドラムおよびその周辺部などにより構成されている。
【００２２】
定着装置１の電気回路を図３に示す。
加熱ローラ１内のコイル４ａ，４ｂ，４ｃのうち、コイル４ａ（第１コイル）は、加熱ローラ１の軸方向に沿う略中央部と対応する位置に配置されている。コイル４ｂ，４ｃは互いに直列接続されて１つのコイル（第２コイル）を形成しており、コイル４ｂが加熱ローラ１の軸方向に沿う一端部（左端部）と対応する位置に配置され、コイル４ｃが加熱ローラ１の軸方向に沿う他端部（右端部）と対応する位置に配置されている。
【００２３】
ショートサイズ（Ａ４Ｒサイズ）のコピー用紙Ｓを定着する場合はコイル４ａを使用し、普通サイズ（Ａ４サイズ）のコピー用紙Ｓを定着する場合は全てのコイル４ａ，４ｂ，４ｃを使用する構成となっている。これらコイル４ａ，４ｂ，４ｃが高周波発生回路６０に接続されている。
【００２４】
加熱ローラ２の軸方向に沿う略中央部に対し、温度センサ１１が設けられている。加熱ローラ２の他端部に対し、温度センサ１２が設けられている。これら温度センサ１１，１２は、加熱ローラ２を回転駆動するための駆動ユニット１０と共に、上記プリントコントローラ４０に接続されている。
【００２５】
プリントコントローラ４０は、駆動ユニット１０を制御する機能に加え、コイル４ａを構成要素とする後述の第１直列共振回路の駆動およびコイル４ｂ，４ｃを構成要素とする後述の第２直列共振回路の駆動をコピー用紙Ｓのサイズや温度センサ１１，１２の検知温度に応じて制御する機能を備えている。
【００２６】
上記高周波発生回路６０は、高周波磁界発生用の高周波電力を発生するもので、整流回路６１およびこの整流回路６１の出力端に接続されたスイッチング回路６２を備えている。整流回路６１は、商用交流電源７０の交流電圧を整流する。スイッチング回路６２は、コイル４ａおよびコンデンサ６３，６５により第１直列共振回路を形成し、コイル４ｂ，４ｃの直列体およびコンデンサ６４，６５により第２直列共振回路を形成し、これら直列共振回路をスイッチング素子たとえばＦＥＴ等のトランジスタ６６により駆動する。
【００２７】
第１直列共振回路は、コイル４ａのインダクタンスＬ１、コンデンサ６３の静電容量Ｃ１、およびコンデンサ６５の静電容量Ｃ３により定まる共振周波数ｆ１を有している。
第２直列共振回路は、コイル４ｂ，４ｃの合成インダクタンスＬ２、コンデンサ６４の静電容量Ｃ２、およびコンデンサ６５の静電容量Ｃ３により定まる共振周波数ｆ２を有している。
【００２８】
これら第１および第２直列共振回路は、図４に示すように、互いに異なる共振周波数ｆ１，ｆ２で、かつ互いに同じ半値幅の周波数−出力特性を有している。
【００２９】
トランジスタ６６は、プリントコントローラ４０からの制御信号に応動するコントローラ８０によりオン，オフ駆動される。コントローラ８０は、発振回路８１およびＣＰＵ８２を備え、トランジスタ６６に対する所定周波数の駆動信号を発振回路８１から発する。
そして、プリントコントローラ４０およびＣＰＵ８２は、主要な機能として次の（１）（２）の手段を有している。
【００３０】
（１）ショートサイズ（Ａ４Ｒサイズ）のコピー用紙Ｓに対する定着に際し、コイル４ａによる誘導加熱が行われるように、第１直列共振回路を駆動する手段。具体的には、第１直列共振回路の共振周波数ｆ１の近傍における周波数（ｆ１−Δｆａ）の駆動信号を発振回路８１から出力させるとともに、その出力動作を温度センサ１１の検知温度が設定値一定となるようにオン，オフする。
【００３１】
（２）普通サイズ（Ａ４サイズ）のコピー用紙Ｓに対する定着に際し、コイル４ａの誘導加熱量とコイル４ｂ，４ｃの誘導加熱量とが相対的に増減するように、かつコイル４ａの誘導加熱量が増えてコイル４ｂ，４ｃの誘導加熱量が減るときの誘導加熱比が例えば“９対１”となり、コイル４ｂ，４ｃの誘導加熱量が増えてコイル４ａの誘導加熱量が減るときの誘導加熱比が例えば“７対３”となるように、各直列共振回路を駆動する手段。具体的には、第１直列共振回路の共振周波数ｆ１の近傍における周波数（ｆ１−Δｆａ）の駆動信号と第２直列共振回路の共振周波数ｆ２の近傍における周波数（ｆ２−Δｆｂ）の駆動信号を発振回路８１から交互に出力させるとともに、その出力動作を温度センサ１１，１２の検知温度の少なくとも一方が設定値一定となるようにオン，オフする。
なお、誘導加熱比については、“９対１”や“７対３”に限らず、適宜に変更可能である。
【００３２】
つぎに、上記の構成の作用を説明する。
ショートサイズ（Ａ４Ｒサイズ）のコピー用紙Ｓに対する定着に際し、第１直列共振回路の共振周波数ｆ１の近傍における周波数（ｆ１−Δｆａ）の駆動信号が発振回路８１から出力される。これにより、コイル４ａから出力Ｐ１（＝８１０Ｗ）の高周波磁界が発せられ、その高周波磁界によって加熱ローラ１の軸方向に沿う略中央部が加熱される。コイル４ｂ，４ｃからも出力Ｐ２（＝９０Ｗ）の高周波磁界が発せられ、その高周波磁界によって加熱ローラ１の軸方向に沿う両端部も加熱されるが、その両端部の温度上昇は小さい。
【００３３】
普通サイズ（Ａ４サイズ）のコピー用紙Ｓに対する定着に際しては、第１直列共振回路の共振周波数ｆ１の近傍における周波数（ｆ１−Δｆａ）の駆動信号、および第２直列共振回路の共振周波数ｆ２の近傍における周波数（ｆ２−Δｆｂ）の駆動信号が、発振回路８１から交互に出力される。
【００３４】
すなわち、図６に示すように、先ず、コイル４ａから出力Ｐ１（＝８１０Ｗ）の高周波磁界が発せられ、その高周波磁界によって加熱ローラ１の軸方向に沿う略中央部が加熱される。これにより、加熱ローラ１の略中央部の温度ｔ１が上昇する。コイル４ｂ，４ｃからも出力Ｐ２（＝９０Ｗ）の高周波磁界が発せられ、その高周波磁界によって加熱ローラ１の軸方向に沿う両端部も加熱されるが、その両端部の温度ｔ２の上昇は小さい。この場合のコイル４ａの誘導加熱量とコイル４ｂ，４ｃの誘導加熱量との比は、“９対１”である。
【００３５】
続いて、コイル４ｂ，４ｃから出力Ｐ２（＝６３０Ｗ）の高周波磁界が発せられ、その高周波磁界によって加熱ローラ１の軸方向に沿う両端部が加熱される。コイル４ａからも出力Ｐ１（＝２７０Ｗ）の高周波磁界が発せられ、その高周波磁界によって加熱ローラ１の軸方向に沿う略中央部も加熱される。このときのコイル４ｂ，４ｃの誘導加熱量とコイル４ａの誘導加熱量との比は、“７対３”であり、両端部の温度ｔ２の温度上昇を図りながら、略中央部の温度ｔ１の温度低下が抑制される。
【００３６】
こうして、コイル４ａの誘導加熱量とコイル４ｂ，４ｃの誘導加熱量とが相対的に増減する制御が、以後、同様に繰り返される。コイル４ａによる中央部加熱時の誘導加熱比およびコイル４ｂ，４ｃによる両端部加熱時の誘導加熱比を図５に対比して示している。
【００３７】
以上のように、全てのコイル４ａ，４ｂ，４ｃが使用される普通サイズ（Ａ４サイズ）のコピー用紙Ｓに対する定着に際しては、コイル４ａの誘導加熱量とコイル４ｂ，４ｃの誘導加熱量とを相対的に増減させ、かつコイル４ａの誘導加熱量が増えてコイル４ｂ，４ｃの誘導加熱量が減るときの誘導加熱比を“９対１”に設定し、コイル４ｂ，４ｃの誘導加熱量が増えてコイル４ａの誘導加熱量が減るときの誘導加熱比を“７対３”に設定することにより、従来のように加熱ローラの略中央部の温度が不要に低下したり、加熱ローラの両端部の温度が不要に低下するといった不具合が解消される。このように、加熱ローラ１の部分的な温度低下を回避できることにより、常に適正な定着作用を得ることができ、定着の信頼性が大幅に向上する。
【００３８】
［２］第２の実施形態について説明する。
第１および第２直列共振回路が、図７に示すように、互いに異なる共振周波数ｆ１，ｆ２で、かつ互いに異なる半値幅の周波数−出力特性を有している。
【００３９】
プリントコントローラ４０およびＣＰＵ８２は、主要な機能として次の（１１）（１２）の手段を有している。
【００４０】
（１１）ショートサイズのコピー用紙Ｓに対する定着に際し、コイル４ａによる誘導加熱が行われるように、第１直列共振回路を駆動する手段。具体的には、第１直列共振回路の共振周波数ｆ１の駆動信号を発振回路８１から出力させるとともに、その出力動作を温度センサ１１の検知温度が設定値一定となるようにオン，オフする。
【００４１】
（１２）普通サイズのコピー用紙Ｓに対する定着に際し、コイル４ａの誘導加熱量とコイル４ｂ，４ｃの誘導加熱量とが相対的に増減するように、かつコイル４ａの誘導加熱量が増えてコイル４ｂ，４ｃの誘導加熱量が減るときの誘導加熱比が例えば“９対１”となり、コイル４ｂ，４ｃの誘導加熱量が増えてコイル４ａの誘導加熱量が減るときの誘導加熱比が例えば“７対３”となるように、各直列共振回路を駆動する手段。具体的には、第１直列共振回路の共振周波数ｆ１の駆動信号と第２直列共振回路の共振周波数ｆ２の駆動信号を発振回路８１から交互に出力させるとともに、その出力動作を温度センサ１１，１２の検知温度の少なくとも一方が設定値一定となるようにオン，オフする。
【００４２】
作用を説明する。
ショートサイズ（Ａ４Ｒサイズ）のコピー用紙Ｓに対する定着に際し、第１直列共振回路の共振周波数ｆ１の駆動信号が発振回路８１から出力される。これにより、コイル４ａから出力Ｐ１（＝８１０Ｗ）の高周波磁界が発せられ、その高周波磁界によって加熱ローラ１の軸方向に沿う略中央部が加熱される。コイル４ｂ，４ｃからも出力Ｐ２（＝９０Ｗ）の高周波磁界が発せられ、その高周波磁界によって加熱ローラ１の軸方向に沿う両端部も加熱されるが、その両端部の温度上昇は小さい。
【００４３】
普通サイズ（Ａ４サイズ）のコピー用紙Ｓに対する定着に際しては、第１直列共振回路の共振周波数ｆ１の駆動信号、および第２直列共振回路の共振周波数ｆ２の駆動信号が、発振回路８１から交互に出力される。
【００４４】
他の構成、作用、効果は、第１の実施形態と同じである。
【００４５】
なお、この発明は、上記各実施形態そのままに限定されるものではなく、実施段階ではその要旨を逸脱しない範囲で構成要素を変形して具体化できる。また、上記各実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【００４６】
【発明の効果】
以上述べたようにこの発明によれば、加熱ローラの部分的な温度低下を回避することができ、常に適正な定着作用が得られる信頼性にすぐれた定着装置を提供できる。
【図面の簡単な説明】
【図１】各実施形態の構成を示す図。
【図２】各実施形態に係る電子複写機の制御回路を示すブロック図。
【図３】各実施形態の電気回路のブロック図。
【図４】第１の実施形態における各直列共振回路の周波数−出力特性を示す図。
【図５】各実施形態における中央部加熱時の誘導加熱比と両端部加熱時の誘導加熱比とを対比して示す図。
【図６】各実施形態における各直列共振回路の出力と加熱ローラの各部の温度変化との関係を示す図。
【図７】第２の実施形態における各直列共振回路の周波数−出力特性を示す図。
【符号の説明】
１…本体、２０…感光体ドラム、１００…定着装置、１０１…加熱ローラ、１０２…加圧ローラ、１１１ａ，１１１ｂ，１１１ｃ…コイル、１２０…高周波発生回路、１２１…整流回路、１２２…スイッチング回路、１２３，１２４，１２５…コンデンサ、１２６…トランジスタ（スイッチング素子）、１４０…コントローラ、１４１…発振回路、１４２…ＣＰＵ、１５０…電流検知回路、１７１…コイル
【図１】
2004294486.tif 000003
【図２】
2004294486.tif 000004
【図３】
2004294486.tif 000005
【図４】
2004294486.tif 000006
【図５】
2004294486.tif 000007
【図６】
2004294486.tif 000008
【図７】
2004294486.tif 000009